(57)【特許請求の範囲】
【請求項１】
臭気成分を分解する生物脱臭床を支持する支持板部を複数段配設し、最上部の生物脱臭床の上部には下方に向けて散水する散水手段を設けた生物脱臭槽であって、その支持板部には、臭気ガスを通気させる多数の通気孔を設けるとともに、少なくとも周辺部分を中央に向けて下り勾配に形成したことを特徴とする生物脱臭槽。
【請求項２】
生物脱臭材を充填した通気性網袋を敷き詰めて前記生物脱臭床を形成した請求項１に記載の生物脱臭槽。
【請求項３】
ピートモスを充填した通気性ピートモス網袋と活性炭を充填した通気性活性炭網袋とを段積み、かつ敷き詰めて前記前記生物脱臭床を形成した請求項１または２に記載の生物脱臭槽。
【請求項４】
前記生物脱臭床の少なくとも最上層には、通気性活性炭網袋を敷き詰めた請求項３に記載の生物脱臭槽。
【発明の詳細な説明】
【技術分野】
【０００１】
本発明は、臭気ガスを生化学的に分解する生物脱臭床を配設した生物脱臭槽の改良に関する。
【背景技術】
【０００２】
従来、生ごみ、し尿、下水、廃棄食品などから発生する臭気ガス成分には、アンモニア、メチルカプタン、硫化水素、硫化メチル、トリメチルアミン、アセトアルデヒドなどがあり、これら臭気ガスを除去するための装置がいくつか提案されている。（特許文献１を参照のこと）
【０００３】
【特許文献１】特開平９−３１３８７４号公報：発明の名称「生物脱臭装置」段落００１０〜００１３、図１
【０００４】
ここに提案された生物脱臭装置は、複数段の生物脱臭床１１を配設した生物脱臭槽１を主要装置とするものである。
ここで、悪臭発生源２の臭気ガスは、ターボファン２１によって洗浄槽３に送られ、ポンプ３１によって散布されるアンモニアなどの洗浄液に接触して吸収除去される。この洗浄した臭気ガスａはさらに生物脱臭槽１に送られ残余の臭気ガス成分が除去されるよう構成されている。
【０００５】
この生物脱臭槽１には、臭気ガス成分を分解する微生物を担持させた生物脱臭床１１が支持板部１２よって支持され、複数段、設けられている。この生物脱臭床１１は、ピートモス、活性炭など生物脱臭材を単独または組み合わせて厚さ０．５〜１．０ｍ程度に堆積させたものであり、支持板部１２に設けた通気孔を通じて、臭気ガスが下から上に通過する際に、臭気ガス成分がこの生物脱臭床１１が担持している脱臭微生物によって生化学的に分解、除去されるのである。
【０００６】
このように、生物脱臭槽１の最下部に導入された臭気ガスは、下方から上方に向けて複数段の生物脱臭床１１、１１、・・を通過させて、前段の洗浄槽３では除去しきれなかった臭気ガス成分をほぼ完全に分解、除去することができるよう意図したものである。
【０００７】
そして、この生物脱臭床１１は適度な水分を保持することが必要であることから、最上部の生物脱臭床１１には、給水パイプ４１から適宜な散水手段によって給水される。この水分は、余剰分が順次、下方に滴下して全ての生物脱臭床１１の水分を供給することになる。ここで、この生物脱臭床１１を支持している支持板部１２は、周辺部分に水分が滞留できる集水凹部１２ａを形成していて、生物脱臭床１１が乾燥してくると滞留水が補給され適度な水分が自動的に維持されるよう構成されている。また、集水凹部１２ａの滞留水の不要な過剰分は、ドレンとしドレンパイプ４２を経て外へ排出される。
【０００８】
ところが、このような生物脱臭槽の場合は、集水凹部１２ａの付近に不具合が発生することが判った。すなわち、この付近は滞留水のため常時水浸しの状態であるため、脱臭作用に全く寄与しないうえ、生物脱臭材が腐敗する場合もあり、その場合には運転を停止し、ピートモスなど生物脱臭材を入れ替えて生物脱臭床１１を再生しなければならず、保守期間が短くなることが判ってきた。
【０００９】
また、生物脱臭材であるピートモスなどは、時間が経過するに従い、見掛け堆積が減少し脱臭効果が失われるので、約２年間隔で、新しい材料と交換する必要があるが、その旧材を取出し、新材の供給に人力に頼らざるを得ず保守作業に多くの手間がかかるという問題もあった。
【発明の開示】
【発明が解決しようとする課題】
【００１０】
本発明は、上記の問題点を解決するためになされたものであり、生物脱臭床の全面が有効に作用するうえ、生物脱臭材の新旧の交換を容易にして生物脱臭床の保守を容易にすることができる生物脱臭槽を提供する。
【課題を解決するための手段】
【００１１】
上記の問題は、臭気成分を分解する生物脱臭床を支持する支持板部を複数段配設し、最上部の生物脱臭床の上部には下方に向けて散水する散水手段を設けた生物脱臭槽であって、その支持板部には、臭気ガスを通気させる多数の通気孔を設けるとともに、少なくとも周辺部分を中央に向けて下り勾配に形成したことを特徴とする本発明の生物脱臭槽によって、解決することができる。
【００１２】
また、本発明は、生物脱臭材を充填した通気性網袋を敷き詰めて前記生物脱臭床を形成した形態に具体化できる。この場合ピートモスを充填した通気性ピートモス網袋と活性炭を充填した通気性活性炭網袋とを段積み、かつ敷き詰めて前記前記生物脱臭床を形成するのが好ましく、さらに、前記生物脱臭床の少なくとも最上層には、通気性活性炭網袋を敷き詰めた形態がより好ましい。
【発明の効果】
【００１３】
本発明の生物脱臭槽は、このように、生物脱臭床を支持する支持板部には、臭気ガスを通気させる多数の通気孔を設けるとともに、少なくとも周辺部分を中央に向けて下り勾配に形成したので、上方から散水される水分は、支持板部の周辺部部分に滞留することなく、多数の通気孔を通じて下段の生物脱臭床の滴下するから、部分的に水分過多になることがない。かくして、生物脱臭床の全面が脱臭効果に寄与するうえ、部分的に腐敗することもないので、保守期間の間隔が短くなるおそれもない。
【００１４】
また、本発明の生物脱臭床は、生物脱臭材を通気性網袋に充填して取り扱うことができるので、生物脱臭材の新旧の交換を容易にして生物脱臭床の保守作業を極めて容易にすることができる。また、ピートモスを充填した通気性ピートモス網袋と活性炭を充填した通気性活性炭網袋とを段積み、かつ敷き詰めるのがよい。また、その少なくとも最上層には、通気性活性炭網袋を敷き詰めた場合には、脱臭効果がより確実になるという効果も期待できる。
よって本発明は、従来の問題点を解消した生物脱臭槽として、実用的価値はきわめて大なるものがある。
【発明を実施するための最良の形態】
【００１５】
次に、本発明の生物脱臭槽に係る実施形態について、図１〜３を参照しながら説明する。先ず、本発明の生物脱臭槽５は、図３に示した生物脱臭槽１に置き換えて利用できるものであるから、図３における生物脱臭槽１以外の機器はそのまま利用可能である。
すなわち、図３における悪臭発生源２の臭気ガスは、ターボファン２１によって洗浄槽３に送られ、ポンプ３１によって散布されるアンモニアなどの洗浄液に接触して吸収除去され、次いでこの洗浄された臭気ガスａは、残存する臭気ガス成分を除去するよう、本発明の生物脱臭槽５に送るよう構成することができる。
【００１６】
本発明の生物脱臭槽５においても、臭気ガス成分を分解する微生物を担持させた生物脱臭床５１が支持板部５２よって支持され、複数段、設けられ、この生物脱臭床５１は、ピートモス、活性炭など生物脱臭材を単独または組み合わせて厚さ０．５〜１．０ｍ程度に堆積させたものであり、支持板部５２に設けた通気孔（図示せず）を通じて、臭気ガスが下から上に通過する際に、臭気ガス成分がこの生物脱臭床５１が担持している脱臭微生物によって生化学的に分解、除去されるのは、図３の場合と同様である。
【００１７】
（第１実施形態）
本発明の生物脱臭槽５の第１実施形態は、先ず、複数段配設される生物脱臭床５１を支持する支持板部５２には、臭気ガスを通気させるための直径１〜１０ｍｍ程度の多数の通気孔（図示せず）を設けるとともに、周辺部分５２ａを中央に向けて下り勾配に形成した点に特徴がある。
【００１８】
そして、本発明の場合でも、この生物脱臭床５１には適度な水分を付与することが必要であることから、最上部の生物脱臭床５１には、給水パイプ４１から適宜な散水手段によって給水し、この水分の余剰分が順次、下方に滴下して全ての生物脱臭床５１に水分を供給する点は図３の場合と同様である。
【００１９】
そして、本発明の場合には、生物脱臭床５１を支持する支持板部５２の、水分が滞留しやすい周辺部分５２ａを中央に向けて下り勾配に形成してあるので、過剰の水分が滞留することがない。また、各生物脱臭床５１に好ましい水分環境を付与するには、給水パイプ４１から供給される水量を適宜に調節するだけで十分なことが判ってきた。
【００２０】
かくして、本発明によれば、ａ）上方から散水される水分は、支持板部５２の周辺部分５２ａに滞留することなく、多数の通気孔を通じて下段の生物脱臭床の滴下するから、部分的に水分過多になることがない。ｂ）生物脱臭床の全面が脱臭効果に寄与するうえ、部分的に腐敗することもない。ｃ）その結果として、保守期間の間隔が短くなる不具合を解消することができるのである。
【００２１】
本発明では、過剰の水分の滞留を抑制する目的には、周辺部分５２ａの下り勾配は少なくとも５度に設定すればよく、その勾配部分の幅員は、少なくとも３０ｃｍとするのがよい。また、より好ましくは勾配部分にも、適宜な間隔で通気孔を配設するのがよい。さらに、全周縁に沿った周辺部分に勾配を設けるのがより好ましい。
【００２２】
（第２実施形態）
さらに、本発明の第２実施形態は、生物脱臭材を充填した通気性網袋５１ａを敷き詰めて、段積みして前記生物脱臭床５１を形成した形態（図１の最下段の生物脱臭床を参照）であり、さらに、ピートモスを充填した通気性ピートモス網袋５１ｂの上に活性炭を充填した通気性活性炭網袋５１ｃとを段積み、かつ敷き詰めて前記前記生物脱臭床５１（図１の中段の生物脱臭床を参照）を形成するのが好ましい。さらには、生物脱臭床５１の少なくとも最上層には、通気性活性炭網袋５１ｃを敷き詰めた形態（図１の最上段の生物脱臭床を参照）がより好ましい。特に、最上段の生物脱臭床５１の最上層には通気性活性炭網袋５１ｃを敷き詰めるのが、脱臭効果の上から好ましい。
【００２３】
このように、ピートモスなどの生物脱臭材を網袋に充填して通気性網袋５１ａ、・・・とするには、腐食し難い合成樹脂繊維製の網袋が好ましく利用できる。網目の寸法、袋のサイズなどは適宜に設定可能であるが、生物脱臭材を充填した状態で２０〜５０ｋｇ程度に収まるよう定めればよい。
【００２４】
また、生物脱臭材を充填した通気性網袋５１ａを段積みするには、図１に例示するように千鳥状に交互に配置するのが、通気ガスがショートカットしないのでよい。また、平面の配置では、上段（図２の実線）と下段（図２の鎖線）との通気性網袋５１ａを左右両方向において１／２幅ずつずらして配列すれば、下段の交点および相互の接触線の部分が上段によって遮蔽されるので、通気ガスがショートカットを抑制することができる。
【００２５】
かくして、本発明によれば、従来のように生物脱臭材をバラ積みとせず、通気性網袋の単位で取り扱うことができるので、生物脱臭材の新旧交換作業が容易となり、その保守作業が短時間で済むという利点が得られ、また、ピートモスを充填した通気性ピートモス網袋と活性炭を充填した通気性活性炭網袋とを千鳥に段積みし、その最上層には、通気性活性炭網袋を敷き詰めた場合には、脱臭効果がより確実になる利点も得られるのである。
【図面の簡単な説明】
【００２６】
【図１】本発明の生物脱臭槽を説明するための要部断面イラスト図。
【図２】本発明における通気性網袋の配置状態を示す上面配置図。
【図３】先行文献の生物脱臭装置のフロー図。
【符号の説明】
【００２７】
１：生物脱臭槽
２：悪臭発生源、２１：ターボファン
３：洗浄槽、３１：ポンプ
４１：給水パイプ
５：生物脱臭槽
５１：生物脱臭床、５１ａ：生物脱臭材を充填した通気性網袋、５１ｂ：通気性ピートモス網袋、５１ｃ：通気性活性炭網袋
５２：支持板部、５２ａ：周辺部分、
ａ：臭気ガス
【図１】
0004653667.tif 000002
【図２】
0004653667.tif 000003
【図３】
0004653667.tif 000004